(57)【要約】  制御信号の割当ブロック率を高めることなく、制御信号の受信側におけるブラインド復号回数を削減できる無線送信装置および制御信号送信方法。基地局（１００）において、サーチスペース設定部（１０３）が、第１の送信モード以外の第２の送信モードで設定するＵＥ−ＳＳが第１の送信モードの有するサブモードの数と同数に分割された２つのサブセットを設定し、割当部（１０６）が、その２つのサブモードに対してそれぞれ異なるサブセットを割り当てる。各サブセットは、複数の下り制御情報割当領域候補を有している。これにより、各サブモードに対応するＤＣＩフォーマットに関するブラインド復号領域候補を、各サブモードに対応するサブセットに限定できるので、端末（２００）におけるブラインド復号回数を削減できる。また、第２の送信モードで設定するＵＥ−ＳＳを一律に縮小することもないので、ブロック率の増加も防止できる。
2011074265.tif 000002
【特許請求の範囲】
【請求項１】
サーチスペースが有する複数の割当領域候補の内の１つの割当領域候補内に配置して制御信号を送信する無線送信装置であって、
第１の送信モード以外の第２の送信モードで設定され且つ各受信装置に対して個別に設定されるサーチスペースが分割された複数のサブセットを設定するサーチスペース設定手段と、
前記第１の送信モードが有する複数のサブモードに対して、それぞれ異なる前記サブセットを割り当てる割当手段と、
を具備する無線送信装置。
【請求項２】
前記割当領域候補は、１つの基本単位から又は当該基本単位が複数連結されて構成され、
前記サーチスペース設定手段は、第１のサブセットには、所定の連結数よりも小さい連結数に対応する前記割当領域候補を設定し、第２のサブセットには、前記所定の連結数よりも大きい連結数に対応する前記割当領域候補を設定する、
請求項１に記載の無線送信装置。
【請求項３】
前記サーチスペース設定手段は、第１のサブセットに含まれる前記割当領域候補の数を、第２のサブセットに含まれる前記割当領域候補の数よりも多くする、
請求項１に記載の無線送信装置。
【請求項４】
前記サーチスペース設定手段は、前記サブセットに含まれる割当領域候補の数を、通信環境に応じて変更する、
請求項１に記載の無線送信装置。
【請求項５】
前記割当領域候補は、１つの基本単位から又は当該基本単位が複数連結されて構成され、
前記サーチスペース設定手段は、任意の連結数に対応する割当領域候補の全てを、１つのサブセットに設定する、
請求項１に記載の無線送信装置。
【請求項６】
前記サーチスペース設定手段は、前記制御信号の送信バンドの帯域幅に応じて、前記サブセットに含まれる割当領域候補の数を変更する、
請求項１に記載の無線送信装置。
【請求項７】
前記無線送信装置は、ＬＴＥ−Ａ基地局であり、
前記第２の送信モードは、ＬＴＥの送信ダイバーシチによる送信モードであり、
前記第１の送信モードは、Ｒａｎｋ２以上の空間多重送信モードおよびＲａｎｋ１の送信モードをそれぞれ第１のサブモードおよび第２のサブモードとして含み、
前記割当手段は、前記第１のサブモードに対して前記第１のサブセットを設定し、前記第２のサブモードに対して前記第２のサブセットを設定する、
請求項２に記載の無線送信装置。
【請求項８】
サーチスペースが有する複数の割当領域候補の内の１つの割当領域候補内に配置して制御信号を送信する制御信号送信方法であって、
第１の送信モード以外の第２の送信モードで設定され且つ各受信装置に対して個別に設定されるサーチスペースが分割された複数のサブセットを設定するステップと、
前記第１の送信モードが有する複数のサブモードに対して、それぞれ異なる前記サブセットを割り当てるステップと、
を具備する制御信号送信方法。
【発明の詳細な説明】
【技術分野】
【０００１】
本発明は、無線送信装置および制御信号送信方法に関する。
【背景技術】
【０００２】
３ＧＰＰ−ＬＴＥ(3rd Generation Partnership Project Radio Access Network Long Term Evolution、以下、ＬＴＥという)では、下り回線の通信方式としてＯＦＤＭＡ（Orthogonal Frequency Division Multiple Access）が採用され、上り回線の通信方式としてＳＣ−ＦＤＭＡ（Single Carrier Frequency Division Multiple Access）が採用されている（例えば、非特許文献１、２、３参照）。【０００３】
ＬＴＥでは、無線通信基地局装置（以下、「基地局」と省略する）は、システム帯域内のリソースブロック（Resource Block：ＲＢ）を、サブフレームと呼ばれる時間単位毎に無線通信端末装置（以下、端末と省略する）に対して割り当てることにより通信を行う。【０００４】
また、基地局は、下り回線データおよび上り回線データに対するリソース割当結果を通知するための下り制御情報（Ｌ１／Ｌ２制御情報）を端末へ送信する。この下り制御情報は、例えばＰＤＣＣＨ（Physical Downlink Control Channel）等の下り回線制御チャネルを用いて端末へ送信される。ここで、各ＰＤＣＣＨは、１つまたは連続する複数のＣＣＥ（Control Channel Element）で構成されるリソースを占有する。ＬＴＥでは、ＰＤＣＣＨが占有するＣＣＥ数（ＣＣＥ連結数：CCE aggregation level）は、下り制御情報の情報ビット数または端末の伝搬路状態に応じて、１，２，４，８の中の１つが選択される。なお、ＬＴＥでは、システム帯域幅として最大２０ＭＨｚの幅を持つ周波数帯域がサポートされる。【０００５】
また、基地局は、１サブフレームに複数の端末を割り当てる場合、複数のＰＤＣＣＨを同時に送信する。このとき、基地局は、各ＰＤＣＣＨの送信先の端末を識別するために、送信先の端末ＩＤでマスキング（または、スクランブリング）したＣＲＣビットをＰＤＣＣＨに含めて送信する。そして、端末は、自端末宛ての可能性がある複数のＰＤＣＣＨにおいて、自端末の端末ＩＤでＣＲＣビットをデマスキング（または、デスクランブリング）することによりＰＤＣＣＨをブラインド復号して、自端末宛のＰＤＣＣＨを検出する。【０００６】
また、基地局から送信される下り制御情報（Downlink Control Information）は、ＤＣＩと呼ばれ、基地局が端末に対して割り当てたリソースの情報（リソース割当情報）およびＭＣＳ（Modulation and channel Coding Scheme）等が含まれる。ＤＣＩには、複数のフォーマットがある。すなわち、上り回線用フォーマット、下り回線ＭＩＭＯ（Multiple Input Multiple Output）送信用フォーマット、下り回線非連続帯域割当用フォーマット等である。端末は、下り割当制御情報（下り回線に関する割当制御情報）および上り割当制御情報（上り回線に関する割当制御情報）の両方を受信する必要がある。下り割当制御情報は、フォーマット（下り割当制御情報フォーマット）を複数有し、また、上り割当制御情報は、１つのフォーマット（上り割当制御情報フォーマット）を有している。【０００７】
例えば、下り制御情報（ＤＣＩ）には、基地局の送信アンテナ制御方法およびリソース割当方法等により、複数のサイズのフォーマットが定義される。その複数のフォーマットのうち、連続帯域割当を行う下り割当制御情報のフォーマット（以下、「連続帯域割当下りフォーマット」という）と、連続帯域割当を行う上り割当制御情報のフォーマット（以下、単に「連続帯域割当上りフォーマット」という）とは、同一サイズを有する。これらのフォーマット（ＤＣＩフォーマット）には、割当制御情報の種別（下り割当制御情報または上り割当制御情報）を示す種別情報（例えば、１ビットのフラグ）が含まれる。よって、端末は、連続帯域割当下りフォーマットのサイズと連続帯域割当上りフォーマットのサイズとが同一であっても、割当制御情報に含まれる種別情報を確認することにより、その割当制御情報が下り割当制御情報または上り割当制御情報のいずれであるかを特定することができる。【０００８】
なお、連続帯域割当下りフォーマットは、ＤＣＩ  ｆｏｒｍａｔ０（以下、ＤＣＩ  ０という）と呼ばれ、一方、連続帯域割当上りフォーマットは、ＤＣＩ  ｆｏｒｍａｔ１Ａ（以下、ＤＣＩ  １Ａという）と呼ばれる。上述したようにＤＣＩ  ０およびＤＣＩ  １Ａは、同一サイズであり、種別情報によって区別できる。よって、以下の説明では、ＤＣＩ  ０およびＤＣＩ  １ＡをＤＣＩ  ０／１Ａとまとめて表記する。【０００９】
また、連続帯域割当下りフォーマットおよび連続帯域割当上りフォーマット以外にも、ＤＣＩフォーマットには、非連続帯域割当を行う下り割当制御情報のフォーマット（「非連続帯域割当下りフォーマット」：ＤＣＩ  ｆｏｒｍａｔ１：ＤＣＩ  １）、および、空間多重ＭＩＭＯ送信を割り当てる下り割当制御情報のフォーマット（「空間多重ＭＩＭＯ下りフォーマット」：ＤＣＩ  ｆｏｒｍａｔ２，２Ａ：ＤＣＩ  ２，２Ａ）等がある。ここで、ＤＣＩ  １，２，２Ａは、端末の下り送信モード（非連続帯域割当または空間多重ＭＩＭＯ送信）に依存して使用されるフォーマットである。すなわち、ＤＣＩ  １，２，２Ａは、いずれも端末毎に設定されるフォーマットである。一方、ＤＣＩ  ０／１Ａは、送信モードに依存せず、いずれの送信モードの端末に対しても使用できるフォーマットである。すなわち、ＤＣＩ  ０／１Ａは、全端末に対して共通に使用されるフォーマットである。また、ＤＣＩ  ０／１Ａが用いられた場合には、デフォルトの送信モードとして１アンテナ送信または送信ダイバーシチが用いられる。【００１０】
また、端末の回路規模を低減するためにブラインド復号の回数を削減することを目的として、ブラインド復号の対象となるＣＣＥを、端末毎に限定する方法が検討されている。この方法では、各端末によるブラインド復号の対象と成りうるＣＣＥ領域（以下、「サーチスペース（Search Space）」という）を限定する。ここでは、各端末に割り当てられるＣＣＥ領域の単位（つまり、ブラインド復号する単位に相当）は、「下り制御情報割当領域候補（PDCCH割当領域候補）」又は「ブラインド復号領域候補」と呼ぶ。【００１１】
ＬＴＥでは、サーチスペースは、端末毎にランダムに設定される。このサーチスペースを構成するＣＣＥ数は、ＰＤＣＣＨのＣＣＥ連結数毎に定義される。例えば、サーチスペースの構成ＣＣＥの数は、ＰＤＣＣＨのＣＣＥ連結数１，２，４，８それぞれに対応して、６，１２，８，１６となる。この場合、ブラインド復号領域候補の数は、ＰＤＣＣＨのＣＣＥ連結数１，２，４，８それぞれに対応して、６候補（６＝６÷１），６候補（６＝１２÷２），２候補（２＝８÷４），２候補（２＝１６÷８）となる。すなわち、ブラインド復号領域候補は、合計１６候補に限定される。これにより、各端末は、自端末に割り当てられたサーチスペース内のブラインド復号領域候補群に対してのみ、ブラインド復号を行えばよいため、ブラインド復号の回数を削減することができる。ここで、各端末のサーチスペースは、各端末の端末ＩＤと、ランダム化を行う関数であるハッシュ（hash）関数とを用いて設定される。この端末特有のＣＣＥ領域は、個別領域（UE specific Search Space：ＵＥ−ＳＳ）と呼ばれる。【００１２】
一方、ＰＤＣＣＨには、複数の端末に対して同時に通知される、端末共通のデータ割当のための制御情報（例えば、下り報知信号に関する割当情報および呼び出し（Paging）用の信号に関する割当情報）（以下、「共通チャネル向け制御情報」と呼ぶ）も含まれる。共通チャネル向け制御情報を伝送するために、ＰＤＣＣＨには、下り報知信号を受信すべき全端末に共通するＣＣＥ領域（以下、「共通領域（Common Search Space：Ｃ−ＳＳ）」と呼ぶ）が用いられる。Ｃ−ＳＳのサーチスペースには、ブラインド復号領域候補が、ＣＣＥ連結数４および８それぞれに対して、４候補（４＝１６÷４），２候補（２＝１６÷８）の合計６候補だけ存在する。【００１３】
また、端末は、ＵＥ−ＳＳでは、全端末に対して共通に使用される、第１種のＤＣＩフォーマット（ＤＣＩ  ０／１Ａ）、および、送信モードに依存した、第２種のＤＣＩフォーマット（ＤＣＩ  １，２，２Ａなど）という、２種類のサイズのＤＣＩフォーマットのそれぞれについて、ブラインド復号を行う。例えば、端末は、ＵＥ−ＳＳでは、上記したサイズの異なる、第１種のＤＣＩフォーマット（ＤＣＩ  ０／１Ａ）および第２種のＤＣＩフォーマット（ＤＣＩ  １，２，２Ａなど）のそれぞれに関して、１６個のブラインド復号領域候補に対するブラインド復号を行うので、合計３２回のブラインド復号を行うことになる。【００１４】
また、端末は、Ｃ−ＳＳでは、共通チャネル割当用フォーマットであるＤＣＩ  ｆｏｒｍａｔ１Ｃ（以下、ＤＣＩ  １Ｃという）およびＤＣＩ  １Ａのそれぞれに関して、６個のブラインド復号領域候補に対するブラインド復号を行うので、合計１２回のブラインド復号を行うことになる。【００１５】
ここで、共通チャネル割当に用いられるＤＣＩ  １Ａと、端末個別のデータ割当に用いられるＤＣＩ  ０／１Ａとは、同一サイズであるが、端末ＩＤによって互いに区別される。そのため、基地局は、端末のブラインド復号回数を増やすことなく、端末個別のデータ割当を行うＤＣＩ  ０／１ＡをＣ−ＳＳでも送信することができる。【００１６】
また、ＬＴＥよりも更なる通信の高速化を実現する３ＧＰＰ  ＬＴＥ−Ａｄｖａｎｃｅｄ（以下、ＬＴＥ−Ａという）の標準化が開始された。ＬＴＥ−Ａでは、最大１Ｇｂｐｓ以上の下り伝送速度および最大５００Ｍｂｐｓ以上の上り伝送速度が実現される。このため、４０ＭＨｚ以上の広帯域周波数で通信可能な基地局および端末（以下、「ＬＴＥ−Ａ端末」という）が導入される見込みである。また、ＬＴＥ−Ａシステムは、ＬＴＥ−Ａ端末のみでなく、ＬＴＥシステムに対応する端末（以下、「ＬＴＥ端末」という）を収容することが要求されている。【００１７】
また、ＬＴＥ−Ａでは、ＬＴＥでサポートされている４アンテナまでのＭＩＭＯ伝送に加えて、８アンテナまでのＭＩＭＯ伝送の導入が検討されている。また、セルエッジの端末のスループット向上を目的としたＣｏＭＰ伝送の導入が検討されている。ＣｏＭＰ伝送では、ＪｏｉｎｔＰｒｏｃｅｓｓｉｎｇおよびＣｏｏｒｄｉｎａｔｅｄ  Ｓｃｈｅｄｕｌｉｎｇが検討されている。ＪｏｉｎｔＰｒｏｃｅｓｓｉｎｇとは、複数の基地局が協調して信号を送信することにより、端末で信号がより強い電力で受信されるようにする技術である。また、Ｃｏｏｒｄｉｎａｔｅｄ  Ｓｃｈｅｄｕｌｉｎｇとは、複数の基地局が協調して端末へ与える干渉を低減させる技術である。すなわち、ＣｏＭＰでは、複数の基地局を送信点とするＭＩＭＯ伝送が可能である。また、ＣｏＭＰでは、１つの端末に対して空間多重するＳＵ−ＭＩＭＯ及び複数の端末に対して空間多重するＭＵ−ＭＩＭＯが可能である。【００１８】
ＬＴＥ−Ａでは、ＭＩＭＯ伝送及びＣｏＭＰ伝送で共通に用いられるＤＣＩフォーマットとして、Ｒａｎｋ２以上の空間多重送信を通知可能なフォーマットと、Ｒａｎｋ１のみを通知可能なフォーマットという、異なる２つのフォーマットを定義することが検討されている（例えば非特許文献４参照）。  
【先行技術文献】
【非特許文献】
【００１９】
【非特許文献１】3GPP TS 36.211 V8.7.0, “Physical Channels and Modulation (Release 8),” September 2008
【非特許文献２】3GPP TS 36.212 V8.7.0, “Multiplexing and channel coding (Release 8),” September  2008
【非特許文献３】3GPP TS 36.213 V8.7.0, “Physical layer procedures (Release 8),” September  2008
【非特許文献４】3GPP TSG RAN WG1 meeting, R1-094513, “DL Multi-antenna operation image” June 2009
【発明の概要】
【発明が解決しようとする課題】
【００２０】
ところで、Ｒａｎｋ２以上の空間多重送信では、２つのトランスポートブロック（データブロック）に対するＭＣＳレベルやＨＡＲＱ情報などの送信パラメータが、それぞれ通知される必要がある。従って、Ｒａｎｋ２以上の空間多重送信を通知可能なＤＣＩフォーマット（以降、フォーマット２Ｃと記載する）は、オーバーヘッドが大きい。【００２１】
一方、Ｒａｎｋ１の送信では、１つのトランスポートブロックに対する送信パラメータのみが通知されればよい。従って、Ｒａｎｋ１のみを通知可能なＤＣＩフォーマット（以降、フォーマット２Ｄと記載する）は、オーバーヘッドが小さい。【００２２】
ここで、ＭＩＭＯ及びＣｏＭＰ送信向けに共通に定義される、これら２つのＤＣＩフォーマット（つまり、フォーマット２Ｃ及びフォーマット２Ｄ）を、サブフレーム単位でダイナミックに切り替え可能とすることが考えられる。この場合には、上位レイヤのシグナリング（ＲＲＣシグナリング）による送信モード（または、モニタ対象のＤＣＩフォーマット）の切り替えは不要であるので、制御オーバーヘッドの削減及び基地局処理の簡素化が可能となる。【００２３】
しかしながら、２つのＤＣＩフォーマットをダイナミックに切り替え可能とするためには、端末が送信モードに依存する２つのＤＣＩフォーマットを同時にモニタする必要がある。すなわち、端末は、ＵＥ−ＳＳにおいて、さらに１６回のブラインド復号を行う必要があるので、合計４８回のブラインド復号を行う必要がある。このことによって、端末のＣｏｍｐｌｅｘｉｔｙの増加及び端末消費電力の増加を招くことになる。【００２４】
また、ブラインド復号回数が多くなるため、ＰＤＣＣＨを誤って検出するＦａｌｓｅ  Ａｌａｒｍ率が増加する。これにより、干渉の増大および誤ったデータのＨＡＲＱ合成によって上位レイヤの再送の増加を招くこととなり、システムスループットを劣化させる恐れがある。【００２５】
これに対して、ブラインド復号回数を削減するために、各ＤＣＩフォーマットに対するサーチスペースを、例えば、合計１０個のブラインド復号領域候補にするなど、一律に縮小させることも考えられる。しかしながら、一律に縮小させると、端末間の競合が発生する確率が高くなるため、或る端末へＰＤＣＣＨを割り当てようとしてもその割り当てがブロックされる確率（つまり、ブロック率）が、高くなってしまう。【００２６】
本発明は、かかる点に鑑みてなされたものであり、制御信号の割当ブロック率を高めることなく、受信側におけるブラインド復号回数を削減することができる無線送信装置および制御信号送信方法を提供することを目的とする。
【課題を解決するための手段】
【００２７】
本発明の無線送信装置は、サーチスペースが有する複数の割当領域候補の内の１つの割当領域候補内に配置して制御信号を送信する無線送信装置であって、第１の送信モード以外の第２の送信モードで設定され且つ各受信装置に対して個別に設定されるサーチスペースが分割された複数のサブセットを設定するサーチスペース設定手段と、前記第１の送信モードが有する複数のサブモードに対して、それぞれ異なる前記サブセットを割り当てる割当手段と、を具備する。【００２８】
本発明の制御信号送信方法は、サーチスペースが有する複数の割当領域候補の内の１つの割当領域候補内に配置して制御信号を送信する制御信号送信方法であって、第１の送信モード以外の第２の送信モードで設定され且つ各受信装置に対して個別に設定されるサーチスペースが分割された複数のサブセットを設定するステップと、前記第１の送信モードが有する複数のサブモードに対して、それぞれ異なる前記サブセットを割り当てるステップと、を具備する。
【発明の効果】
【００２９】
本発明によれば、制御信号の割当ブロック率を高めることなく、受信側におけるブラインド復号回数を削減することができる無線送信装置および制御信号送信方法を提供することができる。
【図面の簡単な説明】
【００３０】
【図１】本発明の実施の形態１に係る基地局の構成を示すブロック図
【図２】Ｃ−ＳＳおよび或る端末に対するＵＥ−ＳＳの設定例を示す図
【図３】本発明の実施の形態１に係る端末の構成を示すブロック図
【図４】実施の形態１におけるサーチスペースの設定例を示す図
【図５】割当部による下り制御情報に対するリソース割当処理の説明に供するフォロー図
【図６】端末の受信品質と使用され易いランク数との関係を示す図
【図７】ＣＣＥ連結数に対応する符号化率を、ＤＣＩフォーマット２Ｃ及びＤＣＩフォーマット２Ｄ（アンテナ数２及び４）のそれぞれについて示す図
【図８】ＤＣＩフォーマット２ＣおよびＤＣＩフォーマット２Ｄがサポートする符号化率を示す図
【図９】実施の形態２におけるサーチスペースの設定例を示す図
【発明を実施するための形態】
【００３１】
以下、本発明の実施の形態について図面を参照して詳細に説明する。なお、実施の形態において、同一の構成要素には同一の符号を付し、その説明は重複するので省略する。
【００３２】
（実施の形態１）
［基地局の構成］
図１は、本実施の形態に係る基地局１００の構成を示すブロック図である。以下では、基地局１００は、ＬＴＥ−Ａ基地局として説明される。
【００３３】
図１において、基地局１００は、設定部１０１と、制御部１０２と、サーチスペース設定部１０３と、ＰＤＣＣＨ生成部１０４と、符号化・変調部１０５，１０７，１０８と、割当部１０６と、多重部１０９と、ＩＦＦＴ（Inverse Fast Fourier Transform）部１１０と、ＣＰ（Cyclic Prefix）付加部１１１と、送信ＲＦ部１１２と、アンテナ１１３と、受信ＲＦ部１１４と、ＣＰ除去部１１５と、ＦＦＴ（Fast Fourier Transform）部１１６と、抽出部１１７と、ＩＤＦＴ（Inverse Discrete Fourier Transform）部１１８と、データ受信部１１９と、ＡＣＫ／ＮＡＣＫ受信部１２０とを有する。
【００３４】
設定部１０１は、設定対象の端末送受信能力（UE Capability）又は伝搬路状況に基づいて、設定対象の端末との間の通信における上り回線の送信モードおよび下り回線の送信モードを設定する。この送信モードの設定は、設定対象端末毎に行われる。
【００３５】
この送信モードには、例えば、ＬＴＥで規定されている送信ダイバーシチによる送信モード、空間多重ＭＩＭＯによる送信モード、Rank1 precodingによる送信モード、ＭＵ−ＭＩＭＯ送信モード、および、ビームフォーミング送信モード、並びに、ＬＴＥ−Ａ端末向けに、ＭＩＭＯ及びＣｏＭＰ送信に共通の送信モードとして「マルチアンテナ送信モード」が含まれる。また、上り回線の送信モードには、ＭＩＭＯ送信モード、および、非連続帯域割当による送信モードも含まれる。
【００３６】
設定部１０１は、設定対象端末に設定した送信モードを示す送信モード情報を設定情報に含めて、制御部１０２、サーチスペース設定部１０３、ＰＤＣＣＨ生成部１０４および符号化・変調部１０７へ出力する。なお、この設定情報は、上位レイヤの制御情報（ＲＲＣ制御情報）として、符号化・変調部１０７を介して各端末へ通知される。
【００３７】
制御部１０２は、設定部１０１から受け取る設定情報に含まれる送信モード情報に応じて、割当制御情報（ＤＣＩ）を生成する。このＤＣＩは、割当対象端末毎に生成される。
【００３８】
制御部１０２は、送信ダイバーシチモードの端末に対して、１つのトランスポートブロックに対するＭＣＳ情報、リソース（ＲＢ）割当情報、および、ＨＡＲＱ情報を含む割当制御情報を、ＤＣＩフォーマット１で生成する。
【００３９】
制御部１０２は、「マルチアンテナ送信モード」の端末に対しては、送信モードに依存した２つのＤＣＩフォーマットから選択した１つのＤＣＩフォーマットで、割当制御情報を生成する。この２つのＤＣＩフォーマットとは、Ｒａｎｋ２以上の空間多重送信を通知可能なＤＣＩフォーマット（つまり、ＤＣＩフォーマット２Ｃ(superset DCI)と、Ｒａｎｋ１のみを通知可能なＤＣＩフォーマット（つまり、ＤＣＩフォーマット２Ｄ(single rank DCI)である。この選択方法については、後述する。
【００４０】
ここで、制御部１０２によって生成される割当制御情報には、端末の上り回線データを割り当てる上りリソース（例えば、ＰＵＳＣＨ（Physical Uplink Shared Channel））を示す上り割当制御情報、および、端末宛ての下り回線データを割り当てる下りリソース（例えば、ＰＤＳＣＨ（Physical Downlink Shared Channel））を示す下り割当制御情報が含まれる。
【００４１】
また、制御部１０２は、上記のような端末毎の送信モードに応じた割当制御情報の他に、全端末に共通の割当制御情報（ＤＣＩ  ０／１Ａ）を用いることもできる。
【００４２】
例えば、通常のデータ送信時には、制御部１０２は、各端末の送信モードに応じたフォーマット（ＤＣＩ  １，２，２Ａ，２Ｂ，２Ｃ，２Ｄ，０Ａ，０Ｂ）で、割当制御情報を生成する。これにより、各端末に設定した送信モードでデータ伝送が行えるので、スループットを向上することができる。
【００４３】
しかし、急激な伝搬路状況の変化または隣接セルからの干渉の変化等によっては、各端末に設定した送信モードでは受信誤りが頻発する状況も起こり得る。この場合には、制御部１０２は、全端末に共通のフォーマット（ＤＣＩ  ０／１Ａ）で、割当制御情報を生成する（つまり、デフォルト送信モードのフォーマットで、割当制御情報を生成する。これにより、よりロバストな送信が可能となる。
【００４４】
また、制御部１０２は、端末個別のデータ割当向けの割当制御情報の他に、共通チャネル向けのフォーマット（例えば、ＤＣＩ  １Ｃ，１Ａ）で割当制御情報を生成する。共通チャネル向け割当制御情報は、報知情報およびＰａｇｉｎｇ情報等の複数の端末に共通のデータ割当に用いられる。
【００４５】
そして、制御部１０２は、生成した端末個別のデータ割当向けの割当制御情報のうち、ＭＣＳ情報およびＨＡＲＱ情報をＰＤＣＣＨ生成部１０４に出力し、上りリソース割当情報をＰＤＣＣＨ生成部１０４および抽出部１１７に出力し、下りリソース割当情報をＰＤＣＣＨ生成部１０４および多重部１０９に出力する。また、制御部１０２は、生成した共通チャネル向け割当制御情報をＰＤＣＣＨ生成部１０４に出力する。
【００４６】
サーチスペース設定部１０３は、共通サーチスペース（Ｃ−ＳＳ）および個別サーチスペース（ＵＥ−ＳＳ）を設定する。共通サーチスペース（Ｃ−ＳＳ）は、上述のとおり、全端末に共通のサーチスペースであり、個別サーチスペース（ＵＥ−ＳＳ）は、各端末に個別のサーチスペースである。
【００４７】
具体的には、サーチスペース設定部１０３は、予め設定したＣＣＥ（例えば、先頭ＣＣＥから１６ＣＣＥ分のＣＣＥ）をＣ−ＳＳとして設定する。ＣＣＥは、基本単位である。
【００４８】
一方、サーチスペース設定部１０３は、各端末に対してＵＥ−ＳＳを設定する。サーチスペース設定部１０３は、例えば、或る端末のＵＥ−ＳＳを、その端末の端末ＩＤおよびランダム化を行うハッシュ（hash）関数を用いて算出されるＣＣＥ番号と、サーチスペースを構成するＣＣＥ数（Ｌ）とから、算出する。
【００４９】
図２は、Ｃ−ＳＳおよび或る端末に対するＵＥ−ＳＳの設定例を示す図である。
【００５０】
図２では、ＰＤＣＣＨのＣＣＥ連結数４に対して、４つのPDCCH割当領域候補（つまり、ＣＣＥ０〜３，ＣＣＥ４〜７，ＣＣＥ８〜１１，ＣＣＥ１２〜１５）が、Ｃ−ＳＳとして設定されている。また、ＰＤＣＣＨのＣＣＥ連結数８に対して、２つのPDCCH割当領域候補（つまり、ＣＣＥ０〜７，ＣＣＥ８〜１５）が、Ｃ−ＳＳとして設定されている。すなわち、図２では、合計６つのPDCCH割当領域候補が、Ｃ−ＳＳとして設定されている。
【００５１】
また、図２では、ＣＣＥ連結数１に対して、６つのPDCCH割当領域候補（つまり、ＣＣＥ１６〜２１のそれぞれ）が、ＵＥ−ＳＳとして設定されている。また、ＣＣＥ連結数２に対して、６つのPDCCH割当領域候補（つまり、ＣＣＥ６〜１７を２つずつ分割したもの）が、ＵＥ−ＳＳとして設定されている。また、ＣＣＥ連結数４に対して、２つのPDCCH割当領域候補（つまり、ＣＣＥ２０〜２３，ＣＣＥ２４〜２７）が、ＵＥ−ＳＳとして設定されている。また、ＣＣＥ連結数８に対して、２つのPDCCH割当領域候補（つまり、ＣＣＥ１６〜２３，ＣＣＥ２４〜３１）が、ＵＥ−ＳＳとして設定されている。すなわち、図２では、合計１６個のPDCCH割当領域候補が、ＵＥ−ＳＳとして設定されている。
【００５２】
さらに、サーチスペース設定部１０３は、「マルチアンテナ送信モード」の端末向けに、各端末に設定したＵＥ−ＳＳ（UE-SS0）が分割された、２つのサブセット（UE-SS1、UE-SS2）を設定する。
すなわち、サーチスペース設定部１０３は、第１の送信モード（ここでは、マルチアンテナ送信モード）以外の第２の送信モード（ここでは、例えば、ＬＴＥで規定されている送信ダイバーシチによる送信モード）で設定するＵＥ−ＳＳが、第１の送信モードが有するサブモードの個数と同数に分割された、サブセット群を設定する。上述のとおり、「マルチアンテナ送信モード」には、第１のサブモード（Ｒａｎｋ２以上の空間多重送信モード）と、第２のサブモード（Ｒａｎｋ１の送信モード）とがあるので、ここでは、ＵＥ−ＳＳ（UE-SS0）が２つのサブセット（UE-SS1、UE-SS2）に分割される。このサブセットの設定方法の詳細は、後述する。
【００５３】
そして、サーチスペース設定部１０３は、設定した各端末のＵＥ−ＳＳを示すサーチスペース情報を割当部１０６に出力する。
【００５４】
ＰＤＣＣＨ生成部１０４は、制御部１０２から入力される、端末個別のデータ割当向けの割当制御情報（つまり、端末毎の上りリソース割当情報、下りリソース割当情報、ＭＣＳ情報およびＨＡＲＱ情報等）を含むＰＤＣＣＨ信号、または、共通チャネル向け割当制御情報（つまり、端末共通の報知情報およびＰａｇｉｎｇ情報等）を含むＰＤＣＣＨ信号を生成する。このとき、ＰＤＣＣＨ生成部１０４は、端末毎に生成する上り割当制御情報および下り割当制御情報に対してＣＲＣビットを付加し、さらにＣＲＣビットを端末ＩＤでマスキング（または、スクランブリング）する。そして、ＰＤＣＣＨ生成部１０４は、マスキング後のＰＤＣＣＨ信号を、符号化・変調部１０５に出力する。
【００５５】
符号化・変調部１０５は、ＰＤＣＣＨ生成部１０４からのＰＤＣＣＨ信号をチャネル符号化後に変調して、変調後のＰＤＣＣＨ信号を割当部１０６に出力する。ここで、符号化・変調部１０５は、各端末から報告されるチャネル品質情報（ＣＱＩ：Channel Quality Indicator）情報に基づいて、各端末で十分な受信品質が得られるように符号化率を設定する。例えば、符号化・変調部１０５は、セル境界付近に位置する端末ほど（チャネル品質が悪い端末ほど）、より低い符号化率を設定する。
【００５６】
割当部１０６は、符号化・変調部１０５から受け取る、共通チャネル向け割当制御情報を含むＰＤＣＣＨ信号、および、各端末に対する端末個別のデータ割当向けの割当制御情報を含むＰＤＣＣＨ信号を、サーチスペース設定部１０３から受け取るサーチスペース情報が示す、Ｃ−ＳＳ内のＣＣＥまたは端末毎のＵＥ−ＳＳ内のＣＣＥに、それぞれ割り当てる。
【００５７】
ここで、割当部１０６は、マルチアンテナ送信モードの端末向けの割当制御情報については、ＤＣＩフォーマット２Ｃであれば、ＵＥ−ＳＳ１内のＣＣＥに割り当て、ＤＣＩフォーマット２Ｄであれば、ＵＥ−ＳＳ２内のＣＣＥに割り当てる。すなわち、割当部１０６は、第１の送信モード（ここでは、マルチアンテナ送信モード）以外の第２の送信モード（ここでは、例えば、ＬＴＥで規定されている送信ダイバーシチによる送信モード）で設定するＵＥ−ＳＳが分割されたサブセット群の中から、第１の送信モードが有する複数のサブモードに対してそれぞれ異なるサブセットを割り当てる。
【００５８】
また、１つのＰＤＣＣＨ信号のＣＣＥ連結数は、符号化率およびＰＤＣＣＨ信号のビット数（つまり、割当制御情報の情報量）によって異なる。例えば、セル境界付近に位置する端末宛てのＰＤＣＣＨ信号の符号化率は低く設定されるので、より多くの物理リソースが必要である。従って、割当部１０６は、セル境界付近に位置する端末宛てのＰＤＣＣＨ信号を、より多くのＣＣＥに割り当てる。
【００５９】
例えば、割当部１０６は、Ｃ−ＳＳ（例えば、図２）内のPDCCH割当領域候補群の中から１つのPDCCH割当領域候補を選択する。そして、割当部１０６は、共通チャネル向け割当制御情報を含むＰＤＣＣＨ信号を、選択したPDCCH割当領域候補内のＣＣＥに割り当てる。
【００６０】
また、割当部１０６は、ＰＤＣＣＨ信号に含まれる端末個別のデータ割当向けの割当制御情報が、送信モード依存のＤＣＩフォーマット（例えば、ＤＣＩ  １，２，２Ａ，０Ａ，０Ｂ）である場合には、その割当制御情報の宛先端末に対して設定されたＵＥ−ＳＳ内のPDCCH割当領域候補群の中から１つのPDCCH割当領域候補を選択する。
【００６１】
また、割当部１０６は、マルチユーザ送信モードの場合に、端末個別のデータ割当向けの割当制御情報が、上記第１のサブモードに対応するフォーマット（DCI format 2C）であるときには、ＵＥ−ＳＳ１内のPDCCH割当領域候補群の中から１つのPDCCH割当領域候補を選択する一方、上記第２のサブモードに対応するフォーマット（DCI format 2D）であるときには、ＵＥ−ＳＳ２内のPDCCH割当領域候補群の中から１つのPDCCH割当領域候補を選択する。
【００６２】
また、割当部１０６は、ＰＤＣＣＨ信号に含まれる端末個別のデータ割当向けの割当制御情報が、全端末共通のフォーマット（例えば、ＤＣＩ  ０／１Ａ）の場合には、Ｃ−ＳＳ内のPDCCH割当領域候補群またはその割当制御情報の宛先端末に設定されたＵＥ−ＳＳ内のPDCCH割当領域候補群の中から、１つのPDCCH割当領域候補を選択する。
【００６３】
そして、割当部１０６は、ＣＣＥに割り当てたＰＤＣＣＨ信号を多重部１０９に出力する。また、割当部１０６は、ＰＤＣＣＨ信号が割り当てられたＣＣＥを示す情報を、ＡＣＫ／ＮＡＣＫ受信部１２０に出力する。なお、割当部１０６におけるＣＣＥ割当処理の詳細については後述する。
【００６４】
符号化・変調部１０７は、設定部１０１からの設定情報をチャネル符号化後に変調して、変調後の設定情報を多重部１０９に出力する。
【００６５】
符号化・変調部１０８は、入力される送信データ（下り回線データ）をチャネル符号化後に変調して、変調後の送信データ信号を多重部１０９に出力する。
【００６６】
多重部１０９は、割当部１０６からのＰＤＣＣＨ信号、符号化・変調部１０７からの設定情報、および符号化・変調部１０８からのデータ信号（つまり、ＰＤＳＣＨ信号）を多重する。ここで、多重部１０９は、制御部１０２からの下りリソース割当情報に基づいて、ＰＤＣＣＨ信号およびデータ信号（ＰＤＳＣＨ信号）をマッピングする。なお、多重部１０９は、設定情報をＰＤＳＣＨにマッピングしてもよい。そして、多重部１０９は、多重信号をＩＦＦＴ部１１０に出力する。
【００６７】
ＩＦＦＴ部１１０は、多重部１０９からの多重信号を時間波形に変換し、ＣＰ付加部１１１は、この時間波形にＣＰを付加することによりＯＦＤＭ信号を得る。
【００６８】
送信ＲＦ部１１２は、ＣＰ付加部１１１から受け取るＯＦＤＭ信号に対して送信無線処理（アップコンバート、ディジタルアナログ（Ｄ／Ａ）変換など）を施し、アンテナ１１３を介して送信する。
【００６９】
一方、受信ＲＦ部１１４は、アンテナ１１３を介して受信帯域で受信した無線信号に対して受信無線処理（ダウンコンバート、アナログディジタル（Ａ／Ｄ）変換など）を施し、得られた受信信号をＣＰ除去部１１５に出力する。
【００７０】
ＣＰ除去部１１５は、受信信号からＣＰを除去し、ＦＦＴ部１１６は、ＣＰ除去後の受信信号を周波数領域信号に変換する。
【００７１】
抽出部１１７は、制御部１０２からの上りリソース割当情報に基づいて、ＦＦＴ部１１６から受け取る周波数領域信号から上り回線データを抽出し、ＩＤＦＴ部１１８は、抽出信号を時間領域信号に変換し、その時間領域信号をデータ受信部１１９およびＡＣＫ／ＮＡＣＫ受信部１２０に出力する。
【００７２】
データ受信部１１９は、ＩＤＦＴ部１１８から受け取る時間領域信号を復号する。そして、データ受信部１１９は、復号後の上り回線データを受信データとして出力する。
【００７３】
ＡＣＫ／ＮＡＣＫ受信部１２０は、ＩＤＦＴ部１１８から受け取る時間領域信号のうち、下り回線データ（ＰＤＳＣＨ信号）に対する各端末からのＡＣＫ／ＮＡＣＫ信号を、抽出する。具体的には、ＡＣＫ／ＮＡＣＫ受信部１２０は、そのＡＣＫ／ＮＡＣＫ信号を、割当部１０６から入力される情報に基づいて、上り回線制御チャネル（例えば、ＰＵＣＣＨ（Physical Uplink Control Channel））から抽出する。また、その上り回線制御チャネルは、その下り回線データに割り当てられたＣＣＥに対応付けられた上り回線制御チャネルである。
【００７４】
そして、ＡＣＫ／ＮＡＣＫ受信部１２０は、抽出したＡＣＫ／ＮＡＣＫ信号のＡＣＫ／ＮＡＣＫ判定を行う。
【００７５】
なお、ここでは、ＣＣＥとＰＵＣＣＨとが対応付けられているのは、端末がＡＣＫ／ＮＡＣＫ信号の送信に用いるＰＵＣＣＨを基地局から各端末へ通知するためのシグナリングを不要にするためである。これにより、下り回線の通信リソースを効率良く使用することができる。従って、各端末は、この対応付けに従って、自端末への制御情報（ＰＤＣＣＨ信号）がマッピングされているＣＣＥに基づいて、ＡＣＫ／ＮＡＣＫ信号の送信に用いるＰＵＣＣＨを判定している。
【００７６】
［端末の構成］
図３は、本実施の形態に係る端末２００の構成を示すブロック図である。ここでは、端末２００は、ＬＴＥ−Ａ端末であり、データ信号（下り回線データ）を受信し、そのデータ信号に対するＡＣＫ／ＮＡＣＫ信号を、ＰＵＣＣＨを用いて基地局１００へ送信する。
【００７７】
図３において、端末２００は、アンテナ２０１と、受信ＲＦ部２０２と、ＣＰ除去部２０３と、ＦＦＴ部２０４と、分離部２０５と、設定情報受信部２０６と、ＰＤＣＣＨ受信部２０７と、ＰＤＳＣＨ受信部２０８と、変調部２０９，２１０と、ＤＦＴ部２１１と、マッピング部２１２と、ＩＦＦＴ部２１３と、ＣＰ付加部２１４と、送信ＲＦ部２１５とを有する。
【００７８】
受信ＲＦ部２０２は、設定情報受信部２０６から受け取る帯域情報に基づいて、受信帯域を設定する。受信ＲＦ部２０２は、アンテナ２０１を介して受信帯域で受信した無線信号（ここでは、ＯＦＤＭ信号）に対して受信無線処理（ダウンコンバート、アナログディジタル（Ａ／Ｄ）変換など）を施し、得られた受信信号をＣＰ除去部２０３に出力する。なお、受信信号には、ＰＤＳＣＨ信号、ＰＤＣＣＨ信号、および、設定情報を含む上位レイヤの制御情報が含まれる。また、ＰＤＣＣＨ信号（割当制御情報）は、端末２００および他の端末に対して設定された共通のサーチスペース（Ｃ−ＳＳ）、または、端末２００に対して設定された個別のサーチスペース（ＵＥ−ＳＳ）に割り当てられている。
【００７９】
ＣＰ除去部２０３は、受信信号からＣＰを除去し、ＦＦＴ部２０４は、ＣＰ除去後の受信信号を周波数領域信号に変換する。この周波数領域信号は、分離部２０５に出力される。
【００８０】
分離部２０５は、ＦＦＴ部２０４から受け取る信号を、設定情報を含む上位レイヤの制御信号（例えば、RRC signaling等）と、ＰＤＣＣＨ信号と、データ信号（つまり、ＰＤＳＣＨ信号）とに分離する。そして、分離部２０５は、制御信号を設定情報受信部２０６に出力し、ＰＤＣＣＨ信号をＰＤＣＣＨ受信部２０７に出力し、ＰＤＳＣＨ信号をＰＤＳＣＨ受信部２０８に出力する。
【００８１】
設定情報受信部２０６は、分離部２０５から受け取る制御信号から、自端末に設定された端末ＩＤを示す情報を読み取り、読み取った情報を端末ＩＤ情報としてＰＤＣＣＨ受信部２０７に出力する。また、設定情報受信部２０６は、自端末に設定された送信モードを示す情報を読み取り、読み取った情報を送信モード情報としてＰＤＣＣＨ受信部２０７に出力する。
【００８２】
ＰＤＣＣＨ受信部２０７は、分離部２０５から入力されるＰＤＣＣＨ信号をブラインド復号（モニタ）することにより、自端末宛てのＰＤＣＣＨ信号を得る。ここで、ＰＤＣＣＨ受信部２０７は、全端末共通のデータ割当向けのＤＣＩフォーマット（例えば、ＤＣＩ  ０／１Ａ）、自端末に設定された送信モード依存のＤＣＩフォーマット（例えば、ＤＣＩ  １，２，２Ａ，２Ｃ、２Ｄ、０Ａ，０Ｂ）および全端末共通の共通チャネル割当向けのＤＣＩフォーマット（例えば、ＤＣＩ  １Ｃ，１Ａ）のそれぞれに対して、ブラインド復号する。これにより、各ＤＣＩフォーマットの割当制御情報を含むＰＤＣＣＨ信号を得る。
【００８３】
具体的には、まず、ＰＤＣＣＨ受信部２０７は、Ｃ−ＳＳに対して、共通チャネル割当向けのＤＣＩフォーマット（ＤＣＩ  １Ｃ，１Ａ）および全端末共通のデータ割当向けＤＣＩフォーマット（ＤＣＩ  ０／１Ａ）のブラインド復号を行う。すなわち、ＰＤＣＣＨ受信部２０７は、Ｃ−ＳＳ内の各ブラインド復号領域候補（つまり、端末２００に割り当てられるＣＣＥ領域の候補）について、共通チャネル割当向けのＤＣＩフォーマットのサイズ、および、全端末共通のデータ割当向けのＤＣＩフォーマットのサイズを対象として、復調および復号する。そして、ＰＤＣＣＨ受信部２０７は、復号後のＰＤＣＣＨ信号に対して、複数の端末の間で共通のＩＤによってＣＲＣビットをデマスキングする。そして、ＰＤＣＣＨ受信部２０７は、デマスキングの結果、ＣＲＣ＝ＯＫ（誤り無し）となったＰＤＣＣＨ信号を、共通チャネル向けの割当制御情報が含まれるＰＤＣＣＨ信号であると判定する。また、ＰＤＣＣＨ受信部２０７は、復号後のＰＤＣＣＨ信号に対して、端末ＩＤ情報が示す自端末の端末ＩＤによってＣＲＣビットをデマスキングする。そして、ＰＤＣＣＨ受信部２０７は、デマスキングの結果、ＣＲＣ＝ＯＫ（誤り無し）となったＰＤＣＣＨ信号を、全端末共通のデータ割当向けの割当制御情報が含まれるＰＤＣＣＨ信号であると判定する。すなわち、ＰＤＣＣＨ受信部２０７は、Ｃ−ＳＳでは、ＤＣＩ  ０／１Ａの割当制御情報が共通チャネル向けであるか又はデータ割当向けであるかを、端末ＩＤ（複数の端末の間で共通のＩＤ、または、端末２００の端末ＩＤ）によって区別する。
【００８４】
また、ＰＤＣＣＨ受信部２０７は、設定情報受信部２０６から受け取る端末ＩＤ情報が示す自端末の端末ＩＤを用いて、自端末のＵＥ−ＳＳを、各ＣＣＥ連結数に対してそれぞれ算出する。そして、ＰＤＣＣＨ受信部２０７は、算出したＵＥ−ＳＳ内の各ブラインド復号領域候補について、自端末に設定された送信モード（送信モード情報に示される送信モード）に対応したＤＣＩフォーマットのサイズおよび全端末共通のＤＣＩフォーマット（ＤＣＩ  ０／１Ａ）のサイズを対象として、復調および復号する。
【００８５】
ここで、ＰＤＣＣＨ受信部２０７は、マルチアンテナ送信モードが設定されている場合には、算出したＵＥ−ＳＳ内の２つのサブセット（ＵＥ−ＳＳ１およびＵＥ−ＳＳ２）に対して、それぞれＤＣＩフォーマット２ＣおよびＤＣＩフォーマット２Ｄを対象として、復調及び復号する。そして、ＰＤＣＣＨ受信部２０７は、復号後のＰＤＣＣＨ信号に対して、自端末の端末ＩＤによってＣＲＣビットをデマスキングする。そして、ＰＤＣＣＨ受信部２０７は、デマスキングの結果、ＣＲＣ＝ＯＫ（誤り無し）となったＰＤＣＣＨ信号を、自端末宛てのＰＤＣＣＨ信号であると判定する。
【００８６】
そして、ＰＤＣＣＨ受信部２０７は、自端末宛てのＰＤＣＣＨ信号に含まれる下りリソース割当情報をＰＤＳＣＨ受信部２０８に出力し、上りリソース割当情報をマッピング部２１２に出力する。また、ＰＤＣＣＨ受信部２０７は、自端末宛てのＰＤＣＣＨ信号が検出されたＣＣＥ（ＣＲＣ＝ＯＫとなるＣＣＥ）のＣＣＥ番号（ＣＣＥ連結数が複数の場合は先頭のＣＣＥのＣＣＥ番号）をマッピング部２１２に出力する。なお、マルチアンテナ送信モードが設定された場合のＰＤＣＣＨ受信部２０７におけるブラインド復号（モニタ）処理の詳細については後述する。
【００８７】
ＰＤＳＣＨ受信部２０８は、ＰＤＣＣＨ受信部２０７から受け取る下りリソース割当情報に基づいて、分離部２０５から受け取るＰＤＳＣＨ信号から、受信データ（下り回線データ）を抽出する。また、ＰＤＳＣＨ受信部２０８は、抽出した受信データ（下り回線データ）に対して誤り検出を行う。そして、ＰＤＳＣＨ受信部２０８は、誤り検出の結果、受信データに誤りがある場合には、ＡＣＫ／ＮＡＣＫ信号としてＮＡＣＫ信号を生成し、受信データに誤りが無い場合には、ＡＣＫ／ＮＡＣＫ信号としてＡＣＫ信号を生成する。このＡＣＫ／ＮＡＣＫ信号は、変調部２０９に出力される。
【００８８】
変調部２０９は、ＰＤＳＣＨ受信部２０８から受け取るＡＣＫ／ＮＡＣＫ信号を変調し、変調後のＡＣＫ／ＮＡＣＫ信号をＤＦＴ部２１１に出力する。
【００８９】
変調部２１０は、送信データ（上り回線データ）を変調し、変調後のデータ信号をＤＦＴ部２１１に出力する。
【００９０】
ＤＦＴ部２１１は、変調部２０９から受け取るＡＣＫ／ＮＡＣＫ信号および変調部２１０から受け取るデータ信号を周波数領域に変換し、得られる複数の周波数成分をマッピング部２１２に出力する。
【００９１】
マッピング部２１２は、ＰＤＣＣＨ受信部２０７から受け取る上りリソース割当情報に従って、ＤＦＴ部２１１から受け取る複数の周波数成分のうち、データ信号に相当する周波数成分を、ＰＵＳＣＨにマッピングする。また、マッピング部２１２は、ＰＤＣＣＨ受信部２０７から受け取るＣＣＥ番号に応じたＰＵＣＣＨを特定する。そして、マッピング部２１２は、ＤＦＴ部２１１から入力される複数の周波数成分のうち、ＡＣＫ／ＮＡＣＫ信号に相当する周波数成分またはコードリソースを、上記特定したＰＵＣＣＨにマッピングする。
【００９２】
ＩＦＦＴ部２１３は、ＰＵＳＣＨおよびＰＵＣＣＨにマッピングされた複数の周波数成分を時間領域波形に変換し、ＣＰ付加部２１４は、その時間領域波形にＣＰを付加する。
送信ＲＦ部２１５は、送信帯域を変更可能に構成されている。送信ＲＦ部２１５は、設定情報受信部２０６から受け取る帯域情報に基づいて、送信帯域を設定する。そして、送信ＲＦ部２１５は、ＣＰ付加部２１４でＣＰが付加された信号に、送信無線処理（アップコンバート、ディジタルアナログ（Ｄ／Ａ）変換など）を施して、アンテナ２０１を介して送信する。
【００９３】
［基地局１００および端末２００の動作］
〈基地局１００によるサーチスペースの設定〉
サーチスペース設定部１０３は、共通サーチスペース（Ｃ−ＳＳ）および個別サーチスペース（ＵＥ−ＳＳ）を設定する。
【００９４】
図４に示すサーチスペースの設定例では、図２と同様に、ＰＤＣＣＨのＣＣＥ連結数４に対して、４つのPDCCH割当領域候補（つまり、ＣＣＥ０〜３，ＣＣＥ４〜７，ＣＣＥ８〜１１，ＣＣＥ１２〜１５）が、Ｃ−ＳＳとして設定されている。また、ＰＤＣＣＨのＣＣＥ連結数８に対して、２つのPDCCH割当領域候補（つまり、ＣＣＥ０〜７，ＣＣＥ８〜１５）が、Ｃ−ＳＳとして設定されている。この設定は、ＬＴＥで規格化されているサーチスペースに準じている。
【００９５】
また、図４に示すサーチスペースの設定例では、図２と同様に、ＣＣＥ連結数１に対して、６つのPDCCH割当領域候補（つまり、ＣＣＥ１６〜２１のそれぞれ）が、ＵＥ−ＳＳとして設定されている。また、ＣＣＥ連結数２に対して、６つのPDCCH割当領域候補（つまり、ＣＣＥ６〜１７を２つずつ分割したもの）が、ＵＥ−ＳＳとして設定されている。また、ＣＣＥ連結数４に対して、２つのPDCCH割当領域候補（つまり、ＣＣＥ２０〜２３，ＣＣＥ２４〜２７）が、ＵＥ−ＳＳとして設定されている。また、ＣＣＥ連結数８に対して、２つのPDCCH割当領域候補（つまり、ＣＣＥ１６〜２３，ＣＣＥ２４〜３１）が、ＵＥ−ＳＳとして設定されている。
【００９６】
更に、図４に示すサーチスペースの設定例では、ＵＥ−ＳＳにおいて、ＣＣＥ連結数１に対する６つのPDCCH割当領域候補およびＣＣＥ連結数２に対する２つのPDCCH割当領域候補を有するサブセット（ＵＥ−ＳＳ１）と、ＣＣＥ連結数２に対する４つのPDCCH割当領域候補、ＣＣＥ連結数４に対する２つのPDCCH割当領域候補、およびＣＣＥ連結数８に対する２つのPDCCH割当領域候補を有するサブセット（ＵＥ−ＳＳ２）とが設定されている。
【００９７】
すなわち、ＣＣＥ連結数２を基準レベルとして、当該基準レベルよりも少ないＣＣＥ連結数に対応するPDCCH割当領域候補群は、ＵＥ−ＳＳ１に割り当てられ、当該基準レベルよりも多いＣＣＥ連結数に対応するPDCCH割当領域候補群は、ＵＥ−ＳＳ２に割り当てられる。そして、基準レベルであるＣＣＥ連結数２に対応するPDCCH割当領域候補群は、ＵＥ−ＳＳ１とＵＥ−ＳＳ２とに分配される。図４では、特に、ＣＣＥ連結数２に対応する６つのPDCCH割当領域候補のうち、２つがＵＥ−ＳＳ１に分配され、残りの４つがＵＥ−ＳＳ２に分配されている。すなわち、基準レベルであるＣＣＥ連結数２では、ＵＥ−ＳＳ１よりもＵＥ−ＳＳ２に対して、より多くのPDCCH割当領域候補が割り当てられている。
【００９８】
〈基地局１００による、下り制御情報に対するリソース割当処理〉
割当部１０６は、符号化・変調部１０５から受け取る、下り制御情報を含むＰＤＣＣＨ信号に、サーチスペース内のPDCCH割当領域候補を割り当てる。
【００９９】
図５は、割当部１０６による各端末に対する下り制御情報に対するリソース割当処理の説明に供するフォロー図である。
【０１００】
ステップＳＴ３０１で割当部１０６は、ＰＤＣＣＨ信号に含まれる割当制御情報のフォーマットがマルチアンテナ送信モード（つまり、サブモードを有する送信モード）のフォーマットであるか否かを判定する。
【０１０１】
ＰＤＣＣＨ信号に含まれる割当制御情報のフォーマットがマルチアンテナ送信モードのフォーマットでない場合（ステップＳＴ３０１：ＮＯ）には、ステップＳＴ３０２で割当部１０６は、そのフォーマットが、送信モード依存のＤＣＩフォーマットであるか又は全端末共通のフォーマット（ＤＣＩ  ０／１Ａ）であるかを判定する。
【０１０２】
ステップＳＴ３０２でフォーマットが送信モード依存のＤＣＩフォーマットであると判定される場合には、ステップＳＴ３０３で割当部１０６は、その割当制御情報に対して、ＵＥ−ＳＳに含まれるPDCCH割当領域候補群の中の１つのPDCCH割当領域候補を割り当てる。
【０１０３】
ステップＳＴ３０２でフォーマットが全端末共通のフォーマット（ＤＣＩ  ０／１Ａ）であると判定される場合には、ステップＳＴ３０４で割当部１０６は、Ｃ−ＳＳ又はＵＥ−ＳＳのPDCCH割当領域候補群の１つのPDCCH割当領域候補を割り当てる。
【０１０４】
ＰＤＣＣＨ信号に含まれる割当制御情報のフォーマットがマルチアンテナ送信モードのフォーマットである場合（ステップＳＴ３０１：ＹＥＳ）には、ステップＳＴ３０５で割当部１０６は、そのフォーマットが、送信モード依存のＤＣＩフォーマットであるか又は全端末共通のフォーマット（ＤＣＩ  ０／１Ａ）であるかを判定する。
【０１０５】
ステップＳＴ３０５でフォーマットが全端末共通のフォーマット（ＤＣＩ  ０／１Ａ）であると判定される場合には、ステップＳＴ３０６で割当部１０６は、Ｃ−ＳＳ又はＵＥ−ＳＳのPDCCH割当領域候補群の１つのPDCCH割当領域候補を割り当てる。
【０１０６】
ステップＳＴ３０５でフォーマットが送信モード依存のＤＣＩフォーマットであると判定される場合には、ステップＳＴ３０７で割当部１０６は、そのフォーマットがＤＣＩフォーマット２Ｃであるか判定する。
【０１０７】
ステップＳＴ３０７でＤＣＩフォーマット２Ｃであると判定された場合には、ステップＳＴ３０８で割当部１０６は、その割当制御情報に対して、ＵＥ−ＳＳ１のPDCCH割当領域候補群の１つのPDCCH割当領域候補を割り当てる。
【０１０８】
ステップＳＴ３０７でＤＣＩフォーマット２Ｃでないと判定された場合、つまり、そのフォーマットがＤＣＩフォーマット２Ｄである場合には、ステップＳＴ３０９で割当部１０６は、その割当制御情報に対して、ＵＥ−ＳＳ２のPDCCH割当領域候補群の１つのPDCCH割当領域候補を割り当てる。
【０１０９】
以上のように、ＤＣＩフォーマットに応じたリソースにマッピングされて下り制御信号は、基地局１００から端末へ送信される。
【０１１０】
〈端末２００による受信処理〉
端末２００は、Ｃ−ＳＳおよびＵＥ−ＳＳをブラインド復号する。
【０１１１】
具体的には、端末２００のＰＤＣＣＨ受信部２０７は、Ｃ−ＳＳに含まれる全てのブラインド復号領域候補に対してブラインド復号を行う。このブラインド復号は、共通チャネル向け割当制御情報（ＤＣＩ  １Ｃ，１Ａ）および全端末共通のデータ割当向け割当制御情報（ＤＣＩ  ０／１Ａ）に関してそれぞれ行われる。
【０１１２】
マルチアンテナ送信モードが設定されていない場合、つまり、送信モード依存のＤＣＩフォーマットが１種類（または、上り下りそれぞれ１種類）の場合には、ＵＥ−ＳＳに含まれる全てのブラインド復号領域候補に対してブラインド復号を行う。このブラインド復号は、送信モードに応じて設定されるＤＣＩフォーマット(例えば、ＤＣＩフォーマット１)および全端末共通のデータ割当向け割当制御情報（ＤＣＩ  ０／１Ａ）に関してそれぞれ行われる。
【０１１３】
ここで、マルチアンテナ送信モードが設定されている場合には、ＰＤＣＣＨ受信部２０７は、送信サブモードに応じたサブセットに対してのみ、ブラインド復号を行う。すなわち、ＰＤＣＣＨ受信部２０７は、ＤＣＩフォーマット２Ｃに関しては、ＵＥ−ＳＳ１のブラインド復号領域候補に対してのみブラインド復号を行い、ＤＣＩフォーマット２Ｄに関しては、ＵＥ−ＳＳ２のブラインド復号領域候補に対してのみブラインド復号を行う。このように、ＤＣＩフォーマット２ＣとＤＣＩフォーマット２Ｄとが配置されるサブセットが分離されているので、ブラインド復号回数を削減することができる。
【０１１４】
以上のように本実施の形態によれば、基地局１００において、サーチスペース設定部１０３が、第１の送信モード以外の第２の送信モードで設定するＵＥ−ＳＳが、第１の送信モードが有するサブモードの個数と同数に分割された、サブセット群を設定し、割当部１０６が、第１の送信モードが有する複数のサブモードに対してそれぞれ異なるサブセットを割り当てる。
【０１１５】
こうすることで、各サブモードに対応するＤＣＩフォーマットに関するブラインド復号領域候補を、各サブモードに対応するサブセットに限定できるので、端末２００におけるブラインド復号回数を削減することができる。また、第２の送信モードで設定するＵＥ−ＳＳを一律に縮小することもないので、ブロック率の増加も防止することができる。つまり、ＵＥ−ＳＳ１とＵＥ−ＳＳ２とが互いに重ならず、合計のPDCCH割当領域候補数が、第２の送信モードで設定するＵＥ−ＳＳのPDCCH割当領域候補数と同じになるため、マルチアンテナ送信モードの端末に対するPDCCH送信のブロック率の増加の防止が可能である。
【０１１６】
特に、本実施の形態では、第１の送信モードは、マルチアンテナ送信モードであり、第１のサブモードは、Ｒａｎｋ２以上の空間多重送信モードであり、第２のサブモードは、Ｒａｎｋ１の送信モードである。
【０１１７】
従って、端末２００におけるブラインド復号回数を増やさずに、ＣｏＭＰ送信及びＭＩＭＯの送信方法(ランク１及びランク２以上)に応じたＤＣＩフォーマットを、ダイナミックに切り替えることができる。
【０１１８】
また、チャネル状態に応じてＤＣＩフォーマットを使い分けることができるので、より効率の良い制御情報伝送が可能である。通常、ランク２以上の送信方法では、受信信号に対して精度良く空間分離する必要がある。従って、ランク２以上の送信方法は、セル中心部の端末などの、主に伝搬路状態（パスロス、受信電力やＳＩＮＲなどの受信品質）の良好な端末に適用される。一方、セル境界付近の端末などの、伝搬路状態の悪い端末には、主にランク１の送信方法が適用される。また、ランク２以上の送信方法では、端末から基地局へ報告されるＣＱＩ情報は、大きな情報量となる。従って、上り回線の効率化という観点からも、ランク２以上の送信方法は、セル境界付近の端末に用いるのに適していない。従って、端末の受信品質と使用され易いランク数との関係は、図６に示すような関係になる。すなわち、端末の受信品質が良くなるに従って、使用されるランク数も大きくなる。従って、ＤＣＩフォーマット２Ｃは、より低い受信品質の場合に用いられ、ＤＣＩフォーマット２Ｄは、より高い受信品質の場合に用いられる。
【０１１９】
そこで、本実施の形態では、第１のサブモードに対応するサブセットには、基準レベルよりも少ないＣＣＥ連結数に対応するPDCCH割当領域候補群が割り当てられ、第２のサブモードに対応するサブセットには、基準レベルよりも多いＣＣＥ連結数に対応するPDCCH割当領域候補群が割り当てられる。すなわち、第１のサブモードに対応するサブセットには、より高いＳＩＮＲが要求されるより高い符号化率のPDCCH割当領域候補群が多く割り当てられ、第２のサブモードに対応するサブセットには、低いＳＩＮＲで受信可能な低い符号化率のPDCCH割当領域候補群が多く割り当てられる。
【０１２０】
こうすることで、それぞれのＤＣＩフォーマットで使用されやすいＣＣＥ連結数のPDCCH割当領域候補を十分多くすることができる。すなわち、ＤＣＩフォーマット２Ｃ、２Ｄの両方ともに、使用されやすいＣＣＥ連結数においては、ＣＣＥ割当の柔軟性が高くなっている。従って、ブロック率を低下させることができる。
【０１２１】
図７は、ＣＣＥ連結数に対応する符号化率を、ＤＣＩフォーマット２Ｃ及びＤＣＩフォーマット２Ｄ（アンテナ数２及び４）のそれぞれについて示す図である。図７には、システム帯域幅が５ＭＨｚ，１０ＭＨｚ、２０ＭＨｚのそれぞれの場合について、ＣＣＥ連結数に対応する符号化率が示されている。また、図７において、ＤＣＩフォーマット２Ｃは、single-rank DCIと表され、ＤＣＩフォーマット２Ｄは、superset DCIと表されている。
【０１２２】
図７を見てわかるように、ＣＣＥ連結数が１の場合には、符号化率が０．６以上と高いため、ＤＣＩフォーマット２Ｄが使用される可能性は低い。また、ＣＣＥ連結数が４および８の場合には、符号化率が０．２５以下と低いため、ＤＣＩフォーマット２Ｃが使用される可能性は低い。従って、ＣＣＥ連結数が４および８の場合にはＤＣＩフォーマット２Ｃを、ＣＣＥ連結数が１の場合にはＤＣＩフォーマット２Ｄをサポートしなくても、システムに与える影響は小さい。
【０１２３】
図８は、ＤＣＩフォーマット２ＣおよびＤＣＩフォーマット２Ｄがサポートする符号化率を示す図である。図８に示すように、ＤＣＩフォーマット２ＣおよびＤＣＩフォーマット２Ｄで高い符号化率から低い符号化率までをカバーすることができる。すなわち、ＤＣＩフォーマット２ＣおよびＤＣＩフォーマット２Ｄに対応するサブセット群は、全体で高い符号化率から低い符号化率までをカバーすることができる。従って、セル内のあらゆる端末に対してマルチアンテナ送信モードの使用が可能となる。
【０１２４】
また、ＵＥ−ＳＳは、ＬＴＥで決められているものと同様である。このＵＥ−ＳＳを分割したそれぞれをサブセットとして設定するため、端末２００はＤＣＩフォーマット０／１Ａの場合と同じブラインド復号領域候補に対してブラインド復号を行えば良い。従って、端末２００の設計が簡易となる。また、ＬＴＥのＵＥ−ＳＳを端末ＩＤなどから算出すると、サブセットも暗示的に算出される。従って、新たなサーチスペースの設定が不要となり、さらに基地局１００および端末２００の簡素化が可能となる。
【０１２５】
なお、上記説明では、ＣＣＥ連結数２に関して、ＵＥ−ＳＳ内の前の２つのPDCCH割当領域候補をＵＥ−ＳＳ１、後の４つのPDCCH割当領域候補をＵＥ−ＳＳ２にした。しかしながら、これに限定されるものではなく、後ろの２つのPDCCH割当領域候補をＵＥ−ＳＳ１、前の４つのPDCCH割当領域候補をＵＥ−ＳＳ２としてもよい。また、ＵＥ−ＳＳ１およびＵＥ−ＳＳ２は、それぞれ非連続であってもよい。非連続である場合には、ＰＤＣＣＨブロック率を低減できる。
【０１２６】
（実施の形態２）
実施の形態２は、個別サーチスペースにおけるサブセット設定のバリエーションに関する。
【０１２７】
図９に示すサーチスペースの設定例では、ＵＥ−ＳＳにおいて、ＣＣＥ連結数１に対する６つのPDCCH割当領域候補およびＣＣＥ連結数２に対する４つのPDCCH割当領域候補を有するサブセット（ＵＥ−ＳＳ１）と、ＣＣＥ連結数２に対する２つのPDCCH割当領域候補、ＣＣＥ連結数４に対する２つのPDCCH割当領域候補、およびＣＣＥ連結数８に対する２つのPDCCH割当領域候補を有するサブセット（ＵＥ−ＳＳ２）とが設定されている。
【０１２８】
すなわち、図９に示すサーチスペースの設定例では、図４と同様に、ＣＣＥ連結数２を基準レベルとして、当該基準レベルよりも少ないＣＣＥ連結数に対応するPDCCH割当領域候補群は、ＵＥ−ＳＳ１に割り当てられ、当該基準レベルよりも多いＣＣＥ連結数に対応するPDCCH割当領域候補群は、ＵＥ−ＳＳ２に割り当てられる。そして、基準レベルであるＣＣＥ連結数２に対応するPDCCH割当領域候補群は、ＵＥ−ＳＳ１とＵＥ−ＳＳ２とに分配される。
【０１２９】
図９では、特に、ＣＣＥ連結数２に対応する６つのPDCCH割当領域候補のうち、４つがＵＥ−ＳＳ１に分配され、残りの２つがＵＥ−ＳＳ２に分配されている。すなわち、基準レベルであるＣＣＥ連結数２では、ＵＥ−ＳＳ２よりもＵＥ−ＳＳ１に対して、より多くのPDCCH割当領域候補が割り当てられている。その結果、合計のPDCCH割当領域候補数はＵＥ−ＳＳ１が１０個（ＣＣＥ連結数１の６個とＣＣＥ連結数２の４個）、ＵＥ−ＳＳ２が６個（ＣＣＥ連結数２の２個とＣＣＥ連結数４の２個とＣＣＥ連結数８の２個）となる。つまり、ＵＥ−ＳＳ１の方が、PDCCH割当領域候補数が多い。
【０１３０】
ここで、ＤＣＩフォーマット２Ｃに対してはＵＥ−ＳＳ１のPDCCH割当領域候補群が割り当てられ、ＤＣＩフォーマット２Ｄに対してはＵＥ−ＳＳ２のPDCCH割当領域候補群が割り当てられる。ＤＣＩフォーマット２Ｃは、Ｒａｎｋ２以上の割当に用いられ、さらに、トランスポートブロックの１つを無効（disable）に設定することによりＲａｍｋ１を指示することも可能である。すなわち、ＤＣＩフォーマット２Ｃは、全ランクをサポートするので、使用頻度が高い。一方で、ＤＣＩフォーマット２Ｄは、Ｒａｎｋ１のみをサポートするので、伝搬路状況が劣悪になった場合など、補助的に用いられることが多い。従って、ＤＣＩフォーマット２Ｄの使用頻度は、低い。
【０１３１】
従って、図９に示すサーチスペースの設定により、より使用頻度の高いＤＣＩフォーマットに対してより多くのPDCCH割当領域候補を割り当てることができるので、より多く存在するＲａｎｋ以上の端末へのＰＤＣＣＨ割当がブロックされる確率を低減できる。
【０１３２】
なお、基準レベルであるＣＣＥ連結数２において、６つのPDCCH割当領域候補のうち、３つをＵＥ−ＳＳ１に分配し、残りの３つをＵＥ−ＳＳ２に分配してもよい。
【０１３３】
（実施の形態３）
実施の形態３は、個別サーチスペースにおけるサブセット設定のバリエーションに関する。
【０１３４】
実施の形態３における設定例では、セル環境に応じて、ＵＥ−ＳＳ１に含まれるPDCCH割当領域候補およびＵＥ−ＳＳ２に含まれるPDCCH割当領域候補をそれぞれ可変（configurable）にする。ただし、ＵＥ−ＳＳ１およびＵＥ−ＳＳ２に含まれるPDCCH割当領域候補の総数は、一定である。
【０１３５】
例えば、Ｈｏｔ  ｓｐｏｔやフェムトセルなどの小さなセルでは、収容される端末の数が少ないので、各サブフレームで端末に割り当てる必要のあるＰＤＣＣＨの数を賄うのに十分な量のＰＤＣＣＨリソースが有ると考えられる。また、小さなセルでは、端末と基地局との離間距離が小さいので、受信品質の良好な端末が多い。従って、小さなセルでは、割当部１０６は、ペイロードサイズは大きいが全ランクをサポートできるＤＣＩフォーマット２Ｃに対応するＵＥ−ＳＳ１に対して、より多くのPDCCH割当領域候補を設定する。
【０１３６】
一方で、マクロセルなどの大きなセルでは、各サブフレームでＰＤＣＣＨの割当対象である端末の数も多く、また、受信品質の悪い端末も多く存在すると考えられる。従って、大きなセルでは、割当部１０６は、ペイロードサイズのより小さいＤＣＩフォーマット２Ｄに対応するＵＥ−ＳＳ２に対して、より多くのPDCCH割当領域候補を設定する。
【０１３７】
例えば、小さなセル向けの設定（configuration）１では、ＵＥ−ＳＳ１は、ＣＣＥ連結数１、２、４、８に対して、それぞれ６個，４個，０個，０個のPDCCH割当領域候補（つまり、合計１０個のPDCCH割当領域候補）を有し、ＵＥ−ＳＳ２は、ＣＣＥ連結数１、２、４、８に対して、それぞれ０個，２個，２個，２個のPDCCH割当領域候補（つまり、合計６個のPDCCH割当領域候補）を有する。
また、大きなセル向けの設定（configuration）２では、として、ＵＥ−ＳＳ１は、ＣＣＥ連結数１、２、４、８に対して、それぞれ４個，２個，０個，０個のPDCCH割当領域候補（つまり、合計６個のPDCCH割当領域候補）を有し、ＵＥ−ＳＳ２は、ＣＣＥ連結数１、２、４、８に対して、それぞれ２個，４個，２個，２個のPDCCH割当領域候補（つまり、合計１０個のPDCCH割当領域候補）を有する。
設定（configuration）１および設定（configuration）２の内、どちらの設定が用いられるかに関する情報は、セル内の報知情報として端末に通知される。
【０１３８】
又は、デフォルト設定（configuration）では、ＵＥ−ＳＳ１とＵＥ−ＳＳ２とが、同数のPDCCH割当領域候補をそれぞれ有する。例えば、実施の形態１と同様に、ＵＥ−ＳＳ１は、ＣＣＥ連結数１、２、４、８に対して、それぞれ６個，２個，０個，０個のPDCCH割当領域候補（つまり、合計８個のPDCCH割当領域候補）を有し、ＵＥ−ＳＳ２は、ＣＣＥ連結数１、２、４、８に対して、それぞれ０個，４個，２個，２個のPDCCH割当領域候補（つまり、合計８個のPDCCH割当領域候補）を有する。
通常、このデフォルト設定（configuration）が用いられ、特殊ケースとして、上記した設定（configuration）１又は２が用いられても良い。設定（configuration）１又は２が用いられる場合には、用いられる設定に関する情報は、セル内の報知情報として端末に通知されても良い。あるいは、端末ごとに個別に通知されてもよい。この情報はマルチアンテナ送信モードの端末に対してのみ必要な情報であるため、マルチアンテナ送信モードの端末数によっては、セル全体に届くように報知するよりも個別に通知する方が使用する無線リソースは少なくて済む場合がある。
【０１３９】
以上のように本実施の形態によれば、割当部１０６は、複数のＵＥ−ＳＳ設定を有し、セル環境に応じて使用頻度の高いＤＣＩフォーマットに対応するサブセットに多くのPDCCH割当領域候補が含まれるサブセットを選択する。こうすることで、使用頻度の高いＤＣＩフォーマットに対応するサブセットに対して適切な数のPDCCH割当領域候補を割り当てることができるので、端末へのＰＤＣＣＨ割当がブロックされる確率を低減できる。
【０１４０】
（実施の形態４）
実施の形態４は、個別サーチスペースにおけるサブセット設定のバリエーションに関する。
【０１４１】
実施の形態４における設定例では、基準レベルであるＣＣＥ連結数に対応するPDCCH割当領域候補の全てを、いずれかの１つのサブセットに割り当てる。すなわち、複数のサブモードのそれぞれに、異なるＣＣＥ連結数のPDCCH割当領域候補を設定する。例えば、実施の形態４における設定例では、ＵＥ−ＳＳ１は、ＣＣＥ連結数１、２、４、８に対して、それぞれ６個，６個，０個，０個のPDCCH割当領域候補（つまり、合計１２個のPDCCH割当領域候補）を有し、ＵＥ−ＳＳ２は、ＣＣＥ連結数１、２、４、８に対して、それぞれ０個，０個，２個，２個のPDCCH割当領域候補（つまり、合計４個のPDCCH割当領域候補）を有する。すなわち、基準レベルであるＣＣＥ連結数２における６つのPDCCH割当領域候補の全てを、ＵＥ−ＳＳ１へ分配する。
【０１４２】
ここで、複数の基地局で協調してデータ送信するＣｏＭＰ送信時には、データは、複数の基地局で協調して送信される一方、ＰＤＣＣＨは、１つのセルからのみ送信される。従って、ＰＤＣＣＨの受信品質は、データに比べて劣悪であると考えられる。そのため、ペイロードサイズのより小さいＤＣＩフォーマット２Ｄが主に用いられる。そのため、ＣｏＭＰ送信時には、ＤＣＩフォーマット２Ｄは、より低い符号化率を実現できるＣＣＥ連結数４または８での使用頻度が高いと考えられる。すなわち、ＤＣＩフォーマット２Ｄは、より高い符号化率となるＣＣＥ連結数１，２では、端末において十分な受信品質で受信されない可能性が高い。従って、ＤＣＩフォーマット２ＤがＣＣＥ連結数４及び８のみをサポートするようにしても、ＰＤＣＣＨ割当がブロックされる可能性が高くなることはない。
【０１４３】
また、より使用頻度が高いＤＣＩフォーマット２Ｃに対して、より多くの候補数を設定することにより、システム全体のＰＤＣＣＨブロック率を改善させることができる。
【０１４４】
また、ＣＣＥ連結数ごとに割当可能なＤＣＩフォーマットが１対１に決まるので、割当部１０６の処理を簡素化できる。また、端末２００では、ＣＣＥ連結数ごとにブラインド復号するＤＣＩフォーマットを設定すればよいため、端末２００の処理も簡素化できる。
【０１４５】
（実施の形態５）
実施の形態５は、個別サーチスペースにおけるサブセット設定のバリエーションに関する。
【０１４６】
実施の形態５における設定例では、帯域幅によって、各ＣＣＥ連結数のPDCCH割当領域候補の数を変える。帯域幅は報知情報により端末に通知される。
【０１４７】
ここで、ＤＣＩフォーマット２Ｃは、広帯域(例えば、10MHz,20MHz)な単位バンド（Component carrier）では、リソース（ＲＢ）割当通知（ビットマップによる割当通知）のためのビット数が多くなる。そのため、ＤＣＩフォーマット２Ｃは、ＣＣＥ連結数１の場合、符号化率が高くなりすぎてしまう(R=0.8以上)。従って、ＤＣＩフォーマット２Ｃを使用する端末は、セル中心に在り且つ周波数選択性フェージングがフラットな端末に限定される。
【０１４８】
一方、ＤＣＩフォーマット２Ｃは、狭帯域(例えば、5MHz)な単位バンド（Component carrier）では、ＣＣＥ連結数１が使用されやすい(R=0.75程度)。これらは、図７からも読み取れる。
【０１４９】
このため、本実施の形態では、帯域幅によって、各ＣＣＥ連結数のPDCCH割当領域候補の数を変える。
【０１５０】
例えば、基地局１００と端末２００との間の通信に用いられる単位バンドの帯域幅が１０ＭＨｚ（５０ＲＢ）未満の場合には、ＵＥ−ＳＳ１は、ＣＣＥ連結数１、２、４、８に対して、それぞれ６個，２個，０個，０個のPDCCH割当領域候補を有し、１０ＭＨｚ（５０ＲＢ）以上の場合には、ＣＣＥ連結数１、２、４、８に対して、それぞれ２個，６個，０個，０個のPDCCH割当領域候補を有する。
【０１５１】
一方、ＤＣＩフォーマット２Ｄは、開始ＲＢと長さとにより、ＲＢ割当通知が行われる。従って、ＤＣＩフォーマット２Ｄのビット数は、帯域幅によってそれほど変わらない。そこで、ＵＥ−ＳＳ２は、いずれの帯域幅でも、ＣＣＥ連結数１、２、４、８に対して、それぞれ０個，４個，２個，２個のPDCCH割当領域候補を有する。
【０１５２】
こうすることで、ＵＥ−ＳＳ１に関して、単位バンドの帯域幅に応じて使用頻度の高いＣＣＥ連結数のPDCCH割当領域候補を多くすることができるので、ＰＤＣＣＨ割当がブロックされる確率を低減できる。
【０１５３】
（他の実施の形態）
（１）上記各実施の形態で用いた「マルチアンテナ送信モード」は、ＬＴＥ−Ａ(Ｒｅｌ１０)向けに導入されるマルチレイヤ送信をサポートする送信モードであり、ＬＴＥ（Ｒｅｌ８）での送信モード（transmission mode）３，４などのＭＩＭＯモードとは異なる。
また、上記説明では、ＤＣＩ  ０／１Ａの他に、下り回線の送信モードに応じた２つのＤＣＩフォーマットをモニタする送信モードとして、マルチアンテナ送信モードを例に説明した。しかしながら、本発明はこれに限定されるものではなく、送信モードに応じた複数のＤＣＩフォーマットをモニタする送信モードであれば、マルチアンテナ送信モード以外の送信モードでもよい。また、マルチアンテナ送信モードは端末個別の復調用参照信号（DeModulation Reference SignalまたはUE specific Reference Signal）を用いる送信モードであってもよい。
【０１５４】
（２）上記各実施の形態では、Ｒａｎｋ２以上の空間多重送信を通知可能なフォーマットをＤＣＩフォーマット２Ｃとして、Ｒａｎｋ１のみを通知可能なフォーマットをＤＣＩフォーマット２Ｄとして説明した。
しかしながら、本発明は、端末が複数の送信モード依存のＤＣＩフォーマットをモニタする場合には利用するができる。これにより、ＬＴＥと同様のサーチスペースを利用しつつ、ブラインド復号を増やさずにダイナミックに送信モードやそのサブモードを切り替えられるという効果が得られる。
さらに、異なる送信方法を通知する複数のフォーマットが存在し、各送信方法の動作領域となる受信品質（パスロス、ジオメトリ、ＳＩＮＲ、受信電力、ＳＮＲなど）のレンジが異なる場合であれば、本発明を適用することにより、端末の受信品質に応じて使用頻度の高いＤＣＩフォーマットに対応するサブセットのPDCCH割当領域候補の数を増やすことができる。これにより、使用頻度の高いＤＣＩフォーマットに対応するサブセットに対して適切な数のPDCCH割当領域候補を割り当てることができるので、端末へのＰＤＣＣＨ割当がブロックされる確率を低減できる。
【０１５５】
（３）上記各実施の形態では、信モード依存のＤＣＩフォーマットとして、２つのＤＣＩフォーマットをモニタする場合について説明した。しかしながら、本発明はこれに限定されるものではなく、送信モード依存のＤＣＩフォーマットとして、３つ以上のＤＣＩフォーマットをモニタする場合にも適用できる。
【０１５６】
（４）上記各実施の形態では、Ｒａｎｋ２以上の空間多重送信を通知可能なフォーマットをＤＣＩフォーマット２Ｃとして、Ｒａｎｋ１のみを通知可能なフォーマットをＤＣＩフォーマット２Ｄとして説明した。しかしながら、本発明はこれに限定されるものではなく、その他の異なる送信モードや送信方法に対するＤＣＩフォーマットであってもよい。例えば、ＣｏＭＰ送信においては、複数の基地局からデータ送信するＪｏｉｎｔ  ｐｒｏｃｅｓｉｎｇ（ＪＰ）モードと、複数基地局間で協調スケジューリングするが１つの基地局からデータ送信するＣｏｏｒｄｉｎａｔｅｄ  Ｓｃｈｅｄｕｌｉｎｇ（ＣＳ）モードとが考えられる。すなわち、ＪＰモードおよびＣＳモードは、ＣｏＭＰ送信モードのサブモードと捉えることができる。いずれのサブモードにおいても、ＰＤＣＣＨは、１つの基地局から送信される。これらのサブモードをダイナミックに切り替える場合にも、各サブモードに異なるＤＣＩフォーマットを用いることにより、上記説明と同様の効果を得ることができる。すなわち、ＪＰモードは、複数セルからの信号を端末が受信するモードであるので、セル境界付近に存在し且つＰＤＣＣＨ受信品質の劣悪な端末向けに使用される。従って、ＪＰモード向けのＤＣＩフォーマットは、ＤＣＩフォーマット２Ｄと同様に、大きなＣＣＥ連結数のみをサポートするようにしても良い。これに伴い、ＣＳ向けのＤＣＩフォーマットは、小さなＣＣＥ連結数のみをサポートするようにする。
【０１５７】
（５）上記各実施の形態では、基地局１００と端末２００との間で１つの単位バンド（Component carrier）が用いられることを前提に説明した。しかしながら、本発明はこれに限定されるものではなく、複数の単位バンド（Component carrier）が用いられるＣarrier aggregationの運用時に適用されても良い。すなわち、各単位バンドに対して、上記した各実施の形態を適用することができる。
【０１５８】
（６）上記各実施の形態における端末ＩＤには、C-RNTI（Cell-Radio Network Temporary Identifier）が用いられても良い。
【０１５９】
（７）上記各実施の形態における「全端末共通のＤＣＩフォーマット」という表現は、「送信モードに依存しないＤＣＩフォーマット」と読み替えることもできる。
【０１６０】
（８）上記各実施の形態では、端末送信モードに依存しないフォーマットをＤＣＩ  ０／１Ａとして説明したが、これに限定されるものではなく、端末送信モードに依存せず用いられるフォーマットなら何でもよい。
また、送信モード依存のＤＣＩとして、ＤＣＩ  １，２，２Ａ，２Ｂ，２Ｃ，２Ｄ，０Ａ，０Ｂ以外のフォーマットが用いられても良い。
また、上り回線または下り回線の送信モードとして、連続帯域割当送信を含めてもよい。この送信モードが設定された端末は、送信モード依存のＤＣＩは、それぞれＤＣＩ  ０(上り回線)とＤＣＩ  １Ａ（下り回線）となる。この場合、全端末共通のＤＣＩフォーマットと送信モード依存のフォーマットとが同一となるので、ＵＥ−ＳＳでは、上り回線及び下り回線でそれぞれ１種類のフォーマットを対象としてブラインド復号すれば良い。なお、上り下りともに連続帯域割当の場合は、あわせて１種類となる。
ＤＣＩ  ０／１Ａをよりサーチスペースが広い送信モード依存のＤＣＩに設定することにより、もともと伝搬路状況が劣悪なためＤＣＩ  ０／１ＡでしかＰＤＣＣＨが割り当てられない端末に対するブロック率の増加を防ぐことができる。
【０１６１】
（９）上記実施の形態（段落５２）では、第１の送信モード（ここでは、マルチアンテナ送信モード）以外の第２の送信モード（ここでは、例えば、ＬＴＥで規定されている送信ダイバーシチによる送信モード）で設定するＵＥ−ＳＳが、第１の送信モードが有するサブモードの個数と同数に分割された、サブセット群を設定するようにした。これに限らず、全端末共通のデータ割当向けのＤＣＩフォーマット（ここでは、ＤＣＩフォーマット０／１Ａ）に対して設定するＵＥ−ＳＳが、送信モードが有するサブモードの個数と同数に分割された、サブセット群を設定するようにしてもよい。ここで、例えば、マルチアンテナ送信モードは２個のサブモードを有し、送信ダイバーシチモードは１個のサブモードを有する。
【０１６２】
（１０）上記実施の形態１乃至３及び５においては、基準レベルであるＣＣＥ連結数２でのみ、サーチスペースをＵＥ−ＳＳ１とＵＥ−ＳＳ２とに分割した。これに限らず、基準レベルであるＣＣＥ連結数２以外のＣＣＥ連結数に対してもＵＥ−ＳＳ１とＵＥ−ＳＳ２とに分割してもよい。より多いＣＣＥ連結数に対してＵＥ−ＳＳ１をより少なく（つまり、ＵＥ−ＳＳ２をより多く）し、より少ないＣＣＥ連結数に対してＵＥ−ＳＳ１をより多く（つまり、ＵＥ−ＳＳ１をより少なく）することにより本発明と同様の効果が得られる。
【０１６３】
（１１）上記各実施の形態では、アンテナとして説明したが、本発明はアンテナポート（antenna port）でも同様に適用できる。
【０１６４】
アンテナポートとは、１本又は複数の物理アンテナから構成される、論理的なアンテナを指す。すなわち、アンテナポートは必ずしも１本の物理アンテナを指すとは限らず、複数のアンテナから構成されるアレイアンテナ等を指すことがある。
【０１６５】
例えば3GPP LTEにおいては、アンテナポートが何本の物理アンテナから構成されるかは規定されず、基地局が異なる参照信号（Reference signal）を送信できる最小単位として規定されている。
【０１６６】
また、アンテナポートはプリコーディングベクトル（Precoding vector）の重み付けを乗算する最小単位として規定されることもある。
【０１６７】
（１２）また、上記各実施の形態では、本発明をハードウェアで構成する場合を例にとって説明したが、本発明はソフトウェアで実現することも可能である。
【０１６８】
また、上記各実施の形態に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１６９】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１７０】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１７１】
２００９年１２月１７日出願の特願２００９−２８６６５５の日本出願に含まれる明細書、図面および要約書の開示内容は、すべて本願に援用される。
【産業上の利用可能性】
【０１７２】
本発明の無線送信装置および制御信号送信方法は、制御信号の割当ブロック率を高めることなく、受信側におけるブラインド復号回数を削減することができるものとして有用である。
【符号の説明】
【０１７３】
１００  基地局
１０１  設定部
１０２  制御部
１０３  サーチスペース設定部
１０４  ＰＤＣＣＨ生成部
１０５，１０７，１０８  符号化・変調部
１０６  割当部
１０９  多重部
１１０，２１３  ＩＦＦＴ部
１１１，２１４  ＣＰ付加部
１１２，２１５  送信ＲＦ部
１１３，２０１  アンテナ
１１４，２０２  受信ＲＦ部
１１５，２０３  ＣＰ除去部
１１６，２０４  ＦＦＴ部
１１７  抽出部
１１８  ＩＤＦＴ部
１１９  データ受信部
１２０  ＡＣＫ／ＮＡＣＫ受信部
２００  端末
２０５  分離部
２０６  設定情報受信部
２０７  ＰＤＣＣＨ受信部
２０８  ＰＤＳＣＨ受信部
２０９，２１０  変調部
２１１  ＤＦＴ部
２１２  マッピング部
【図１】
2011074265.tif 000003
【図２】
2011074265.tif 000004
【図３】
2011074265.tif 000005
【図４】
2011074265.tif 000006
【図５】
2011074265.tif 000007
【図６】
2011074265.tif 000008
【図７】
2011074265.tif 000009
【図８】
2011074265.tif 000010
【図９】
2011074265.tif 000011
【国際調査報告】
2011074265.tif 000012
2011074265.tif 000013